(57)【要約】  喫煙物品のグループ（２）を収容する内側容器（３）と、外側容器（４）であって、該外側容器（４）の内部は、内側容器（３）が外側容器（４）内に挿入される閉鎖形態と内側容器（３）が外側容器（４）から部分的に抜き出される開放形態との間で内側容器（３）が外側容器（４）に対してスライドできるようにするべく内側容器（３）をスライド可能に収容する、外側容器（４）と、ロック要素（３１）と係合部（３３）とを備えるとともに、内側容器（３）が閉鎖形態にあるときに外側容器（４）に対する内側容器（３）のスライドをユーザの外的作用により作動不可能な態様でロックする少なくとも１つのロック装置（３０）とを有する喫煙物品のパケット（１）において、ロック要素（３１）は、外側容器（４）と一体の壁（３７）から内側に突出するとともに、ロック縁部（３２）を有し、係合部（３３）は、内側容器（３）と一体の壁（８）から外側に突出するとともに、内側容器（３）の閉鎖形態でロック要素（３１）のロック縁部（３２）と対向してパケット（１）の開放移動中にロック縁部（３２）と係合する第１の係合縁部（３４）と、内側容器（３）の開放形態でロック要素（３１）のロック縁部（３２）と対向してパケット（１）の閉鎖移動中にロック縁部（３２）と係合する第２の係合縁部（３５）とを有する、喫煙物品のパケット（１）。
2018505825.tif 000002
【特許請求の範囲】
【請求項１】
喫煙物品のグループ（２）を収容する内側容器（３）と、
外側容器（４）であって、該外側容器（４）の内部は、前記内側容器（３）が前記外側容器（４）内に挿入される閉鎖形態と前記内側容器（３）が前記外側容器（４）から部分的に抜き出される開放形態との間で前記内側容器（３）が前記外側容器（４）に対してスライドできるようにするべく前記内側容器（３）をスライド可能に収容する、外側容器（４）と、
ロック要素（３１）と係合部（３３）とを備えるとともに、前記内側容器（３）が前記閉鎖形態にあるときに前記外側容器（４）に対する前記内側容器（３）のスライドをユーザの外的作用により作動不可能な態様でロックする少なくとも１つのロック装置（３０）と、
を備える喫煙物品のパケット（１）において、
前記ロック要素（３１）は、前記外側容器（４）と一体の壁（３７）から内側に突出するとともに、ロック縁部（３２）を有し、
前記係合部（３３）は、前記内側容器（３）と一体の壁（８）から外側に突出するとともに、前記内側容器（３）の前記閉鎖形態で前記ロック要素（３１）の前記ロック縁部（３２）と対向して前記パケット（１）の開放移動中に前記ロック縁部（３２）と係合する第１の係合縁部（３４）と、前記内側容器（３）の前記開放形態で前記ロック要素（３１）の前記ロック縁部（３２）と対向して前記パケット（１）の閉鎖移動中に前記ロック縁部（３２）と係合する第２の係合縁部（３５）とを有する、
ことを特徴とする喫煙物品のパケット（１）。
【請求項２】
前記係合部（３３）は、前記内側容器（３）の後壁（８）上に隆起される部分を形成する２つの重なり合う係合パネル（２１，２２）を備える、請求項１に記載の喫煙物品のパケット（１）。
【請求項３】
前記２つの係合パネル（２１，２２）は、折り曲げライン（３９）に沿って接続されて共に接着され、前記第２の係合縁部（３５）は、前記折り曲げライン（３９）によって形成され、前記第１の係合縁部（３４）は、前記係合パネル（２１，２２）の前記折り曲げライン（３９）とは反対側の２つの自由縁部によって形成される、請求項２に記載の喫煙物品のパケット（１）。
【請求項４】
前記外側容器（４）の開放上端部（１１）を閉じるためにヒンジ（１７）に沿って前記外側容器（４）にヒンジ結合される蓋（１６）を備え、前記蓋（１６）は、上壁（１８）と、前記蓋（１６）の内面の側で前記上壁（１８）へと１８０°折り曲げられる補強パネル（１９）とを備え、前記補強パネル（１９）は、前記内側容器（３）の前記後壁（８）に接着される第１のパネル（２１）と、前記第１のパネル（２１）上へと１８０°折り曲げられて前記第１のパネル（２１）に接着される第２のパネル（２２）とを備える延在壁（２０）を備え、前記２つの係合パネル（２１，２２）は、前記延在壁（２０）の前記第１のパネルからなる第１の係合パネル（２１）と、前記延在壁（２０）の前記第２のパネルからなる第２の係合パネル（２２）とを備える、請求項２又は３に記載の喫煙物品のパケット（１）。
【請求項５】
前記ロック要素（３１）は、前記外側容器（４）の後壁（１３）の内面に接着される前記外側容器（４）の前記後壁（１３）の補強パネル（３７）の上縁部にヒンジ結合される少なくとも１つのロックタブ（３６）を備え、前記ロックタブ（３６）は、前記内側容器（３）が前記閉鎖形態にあるときに前記外側容器（４）の前記後壁（１３）の前記補強パネル（３７）の内面上へと略１８０°折り曲げられるとともに、前記内側容器（３）が前記開放形態にあるときに前記外側容器（４）の前記後壁（１３）の前記補強パネル（３７）と実質的に整列される、請求項１から４のいずれか一項に記載の喫煙物品のパケット（１）。
【請求項６】
前記ロック要素（３１）は、前記外側容器（４）の後壁（１３）の内面に接着される前記外側容器（４）の前記後壁（１３）の前記補強パネル（３７）の上縁部の両側にヒンジ結合される２つのロックタブ（３６）を備え、前記ロックタブ（３６）は、前記内側容器（３）が前記閉鎖形態にあるときに前記外側容器（４）の前記後壁（１３）の前記補強パネル（３７）の内面上へと略１８０°折り曲げられるとともに、前記内側容器（３）が前記開放形態にあるときに前記外側容器（４）の前記後壁（１３）の前記補強パネル（３７）と実質的に整列される、請求項１から５のいずれか一項に記載の喫煙物品のパケット（１）。
【請求項７】
前記ロック装置（３０）は、前記ロック縁部（３２）に当接するための２つの当接部（４１，４２）を備え、前記２つの当接部（４１，４２）はそれぞれ、前記内側容器（３）の前記後壁（８）の一部であるとともに、前記内側容器（３）が前記閉鎖形態にあるときに前記係合部（３３）の前記第１の係合縁部（３４）によって下方で境界付けられる第１の当接部（４１）と、前記内側容器（３）が前記開放形態にあるときに前記係合部（３３）の前記第２の係合縁部（３５）によって上方で境界付けられる第２の当接部（４２）とを備える、請求項１から６のいずれか一項に記載の喫煙物品のパケット（１）。
【請求項８】
前記ロック要素（３１）及び前記係合部（３３）は、前記ロック縁部（３２）と前記第１の係合縁部（３４）との間の相互作用及び／又は前記ロック縁部（３２）と前記第２の係合縁部（３５）との間の相互作用が音を発するように構成される、請求項１から７のいずれか一項に記載の喫煙物品のパケット（１）。
【請求項９】
前記ロック要素（３１）は、前記内側容器（３）の前記閉鎖形態及び前記開放形態で前記外側容器（４）により隠される、請求項１から８のいずれか一項に記載の喫煙物品のパケット（１）。
【請求項１０】
前記パケット（１）は、前記内側容器（３）の後壁（８）と一体の少なくとも１つのスロット（２４）を備え、前記蓋（１６）は、前記パケット（１）の内側に突出する少なくとも１つの係合タブ（２３）を備え、前記内側容器（３）の前記閉鎖形態では、前記少なくとも１つの係合タブ（２３）が前記少なくとも１つのスロット（２４）から離脱され、前記内側容器（３）の前記開放形態では、前記少なくとも１つの係合タブ（２３）が前記少なくとも１つのスロット（２４）内に係合されて前記内側容器（３）をユーザの外的作用により作動不可能な態様で前記開放形態でロックし、前記少なくとも１つのスロット（２４）と前記少なくとも１つのタブ（２３）との間の相互作用は、前記内側容器（３）の前記開放形態に達するときに音を発する、請求項４から９のいずれか一項に記載の喫煙物品のパケット（１）。
【発明の詳細な説明】
【技術分野】
【０００１】
本発明は、喫煙物品のスライドオープンパケット、すなわち、スライドして開放するパケットに関する。
【０００２】
以下の説明では、簡潔にするために、本発明を伴わない、したがって一般的な有効性を欠く紙巻たばこのスライドオープンパケットについて言及する。
【背景技術】
【０００３】
紙巻たばこ（cigarette）の硬質なヒンジ蓋パケットは、現在、市場で最も広く行き渡っているタイプの紙巻たばこのパケットである。これは、それらのパケットが、簡単に製造でき、使用が容易で実用的であるとともに、パケットが収容する紙巻たばこに対して良好な機械的保護を与えるからである。
【０００４】
前述の紙巻たばこの硬質なヒンジ蓋パケットに加え、一方が他方の内側に部分的に分離可能な態様で挿入される２つの容器を備える硬質なスライドオープン式、すなわち、スライドして開放する紙巻たばこのパケットが提案されてきた。
【０００５】
言い換えると、紙巻たばこの硬質なスライドオープンパケットは、金属化された包装紙のシートに包まれる紙巻たばこのグループを受け入れるのに適した内側容器を備え、この内側容器は、外側容器の内側に収容されて、内側容器が外側容器の内側に挿入される閉鎖形態と、内側容器が部分的に外側容器の外側にある開放形態との間で外側容器に対してスライドできる。外側容器に対する内側容器のスライドは、２つの容器間の並進によって、又は、２つの容器を接続するヒンジの周りでの２つの容器間の回動によって決定され得る。
【０００６】
並進によってスライド可能な紙巻たばこの硬質パケットの幾つかの実施形態は、仏国特許第２４９９９４７号明細書、米国特許第４５３４４６３号明細書、米国特許第５０８０２２７号明細書、及び、伊国特許第１１６９１６３号明細書に開示されている。回動によってスライド可能な紙巻たばこの硬質パケットの一実施形態は、国際公開第２００６０２１５８１号パンフレットに開示される。
【０００７】
紙巻たばこの硬質スライドオープンパケットにおいて分かってきた欠点は、幾つかの状況で、一般に紙巻たばこのパケットが比較的幅広い袋又はポケットの内側にあるときに、紙巻たばこのパケットの望ましくない開放が起こり得ること、すなわち、内側容器が外側容器の外側へスライドし、その結果、紙巻たばこ及び／又はたばこ粉末が内側容器から出ることである。
【０００８】
回動によってスライド可能な紙巻たばこの硬質パケットでは、内側容器が閉鎖形態にあるときに内側容器と外側容器との間に特定の干渉をもたらすことが提案されてきたが、そのような態様では、内側容器を開放形態にするために、内側容器の上側の隅を僅かに変形させる必要があり、その場合、この変形を決定づけるために十分高い開放力を加える必要がある。このようにすると、内側容器は、比較的高い開放力が加えられるまで閉鎖形態にとどまるが、それにもかかわらず、内側容器の上側の隅がそれぞれの開放で受ける変形は、内側容器を構成するボール紙を局所的に破壊して、内側容器内に収容される紙巻たばこの望ましくない圧縮を引き起こす（特に、上側の隅と接触して配置される２本の紙巻たばこが「凹む」）ことが分かってきた。
【０００９】
紙巻たばこの硬質なスライドオープンパケットの他の実施形態は、欧州特許出願公開第２７１６５６４号明細書に開示されている。欧州特許出願公開第２７１６５６４号明細書は、水平な並進によって又は回動によってスライドするタイプの紙巻たばこの硬質パケットと、対応するブランクとを開示する。パケットは、両手を使用して開放される必要がある。また、ここに開示されるパケットは、外側容器と、外側容器に対して横方向にスライドする内側箱体とを備え、外側容器は、開放垂直側面を備えるとともに、開放垂直側面とは反対側に部分開口を有し、パケットは、内側体のスライドを制限するロック要素を備える第１のスナップ閉鎖部を有し、ロック要素は、内側箱体の一部であるとともに、内側箱体から内側箱体と外側容器との間の空間内へ突出し、第２のスナップ閉鎖部は、外側容器からの内側箱体の起こり得る分離を制限するとともに、内側箱体から突出するロック要素によって形成され、これらのロック要素は、外側容器から突出する要素と相互作用する。欧州特許出願公開第２７１６５６４号明細書に開示される開放ロック機構及び閉鎖ロック機構は、有効であるが、嵩張る。これは、それらの機構がかなり大きいサイズの二重折り曲げ翼の使用を伴うとともに、これらの翼が同様にかなり大きいスロットと協働するからである。すなわち、このタイプのロック機構は、スライド量が数ミリメートル以内で最大１センチメートルまでの範囲内に含まれる垂直スライドする硬質パケット（特に、押圧窓に作用することにより、片手だけで開放され得るパケット）にあまりうまく適合しない。
【先行技術文献】
【特許文献】
【００１０】
【特許文献１】仏国特許第２４９９９４７号
【特許文献２】米国特許第４５３４４６３号
【特許文献３】米国特許第５０８０２２７号
【特許文献４】伊国特許第１１６９１６３号
【特許文献５】国際公開第２００６０２１５８１号
【特許文献６】欧州特許出願公開第２７１６５６４号
【発明の概要】
【発明が解決しようとする課題】
【００１１】
本発明の目的は、先に開示された欠点がなく、特に製造が容易で安価な喫煙物品のスライドオープンパケットを提供することである。
【００１２】
本発明によれば、添付の特許請求の範囲において請求されるように、以下の実施形態のうちの１つ以上にしたがって、喫煙物品のスライドオープンパケットが提供される。
【課題を解決するための手段】
【００１３】
例１
喫煙物品のグループを収容する内側容器と、
外側容器であって、該外側容器の内部は、内側容器が外側容器内に挿入される閉鎖形態と内側容器が外側容器から部分的に抜き出される開放形態との間で内側容器が外側容器に対してスライドできるようにするべく内側容器をスライド可能に収容する、外側容器と、
ロック要素と係合部とを備えるとともに、内側容器が閉鎖形態にあるときに外側容器に対する内側容器のスライドをユーザの外的作用により作動不可能な態様でロックする少なくとも１つのロック装置と、
を備える喫煙物品のパケットにおいて、
ロック要素は、外側容器と一体の壁から内側に突出するとともに、ロック縁部を有し、
係合部は、内側容器と一体の壁から外側に突出するとともに、内側容器の閉鎖形態でロック要素のロック縁部と対向してパケットの開放移動中にロック縁部と係合する第１の係合縁部と、内側容器の開放形態でロック要素のロック縁部と対向してパケットの閉鎖移動中にロック縁部と係合する第２の係合縁部とを有する、喫煙物品のパケット。
【００１４】
例２
係合部は、内側容器の後壁に対して隆起される部分を形成する２つの重なり合う係合パネルを備える、例１に記載の喫煙物品のパケット。
【００１５】
例３
２つの係合パネルは、折り曲げラインに沿って接続されて互いに接着され、第１の係合縁部が折り曲げラインによって形成され、第２の係合縁部は、係合パネルの折り曲げラインとは反対側の２つの自由縁部によって形成される、例２に記載の喫煙物品のパケット。
【００１６】
例４
外側容器の開放上端部を閉じるためにヒンジに沿って外側容器にヒンジ結合される蓋を備え、蓋は、上壁と、蓋の内面の側で上壁へと１８０°折り曲げられる補強パネルとを備え、補強パネルは、内側容器の後壁に接着される第１のパネルと、第１のパネル上へと１８０°折り曲げられて第１のパネルに接着される第２のパネルとを備える延在壁を備え、２つの係合パネルは、延在壁の第１のパネルからなる第１の係合パネルと、延在壁の第２のパネルからなる第２の係合パネルとを備える、例２又は３に記載の喫煙物品のパケット。
【００１７】
例５
ロック要素は、外側容器の後壁の内面に接着される外側容器の後壁の補強パネルの上縁部にヒンジ結合される少なくとも１つのロックタブを備え、ロックタブは、内側容器が閉鎖形態にあるときに外側容器の後壁の補強パネルの内面上へと略１８０°折り曲げられるとともに、内側容器が開放形態にあるときに外側容器の後壁の補強パネルと実質的に整列される、例１から４のいずれか一例に記載の喫煙物品のパケット。
【００１８】
例６
ロック要素は、外側容器の後壁の内面に接着される外側容器の後壁の補強パネルの上縁部の両側にヒンジ結合される２つのロックタブを備え、ロックタブは、内側容器が閉鎖形態にあるときに外側容器の後壁の補強パネルの内面上へと略１８０°折り曲げられるとともに、内側容器が開放形態にあるときに外側容器の後壁の補強パネルと実質的に整列される、例１から５のいずれか一例に記載の喫煙物品のパケット。
【００１９】
例７
ロック装置は、ロック縁部に当接するための２つの当接部を備え、２つの当接部はそれぞれ、内側容器の後壁の一部であるとともに、内側容器が閉鎖形態にあるときに係合部の第１の係合縁部によって下方で境界付けられる第１の当接部と、内側容器が開放形態にあるときに係合部の第２の係合縁部によって上方で境界付けられる第２の当接部とを備える、例１から６のいずれか一例に記載の喫煙物品のパケット。
【００２０】
例８
ロック要素及び係合部は、ロック縁部と第１の係合縁部との間の相互作用及び／又はロック縁部と第２の係合縁部との間の相互作用が音を発するように構成される、例１から７のいずれか一例に記載の喫煙物品のパケット。
【００２１】
例９
ロック要素は、内側容器の閉鎖形態及び開放形態で外側容器により隠される、例１から８のいずれか一例に記載の喫煙物品のパケット。
【００２２】
例１０
パケットは、内側容器の後壁と一体の少なくとも１つのスロットを備え、蓋は、パケットの内側に突出する少なくとも１つの係合タブを備え、内側容器の閉鎖形態では、少なくとも１つの係合タブが少なくとも１つのスロットから離脱され、内側容器の開放形態では、少なくとも１つの係合タブが少なくとも１つのスロット内に係合されて内側容器をユーザの外的作用により作動不可能な態様で開放形態でロックし、少なくとも１つのスロットと少なくとも１つのタブとの間の相互作用は、内側容器の開放形態に達するときに音を発する、例４から９のいずれか一例に記載の喫煙物品のパケット。
【００２３】
例１１
内側容器の開放形態では、少なくとも１つの係合タブの自由縁部が少なくとも１つのスロット内に受け入れられてスロットの上縁部に当接する、例１０に記載の喫煙物品のパケット。
【００２４】
例１２
少なくとも１つのスロットは、蓋の上壁の補強パネルの延在壁で得られる、例１０又は１１に記載の喫煙物品のパケット。
【００２５】
例１３
少なくとも１つのスロットは、蓋の上壁の補強パネルの延在壁の第１のパネルおよび第２のパネルで得られるとともに、内側容器の後壁は、少なくとも１つのスロットの下壁として作用する、例１０から１２のいずれか一例に記載の喫煙物品のパケット。
【００２６】
例１４
少なくとも１つのスロットは、第１の係合縁部によって画定される下縁部を備える、例１０から１３のいずれか一例に記載の喫煙物品のパケット。
【００２７】
例１５
少なくとも１つの係合タブは、ヒンジラインに沿って蓋の上壁に対してヒンジ結合され、少なくとも１つの係合タブのヒンジラインは、蓋のヒンジ付近に位置されるとともに、蓋のヒンジと略平行に延びる、例１０から１４のいずれか一例に記載の喫煙物品のパケット。
【００２８】
例１６
少なくとも１つの係合タブは、蓋の上壁の補強パネルにヒンジ結合されてこの補強パネルで得られる、例１２から１５のいずれか一例に記載の喫煙物品のパケット。
【００２９】
例１７
内側容器の後壁と一体の２つのスロットが設けられ、蓋がパケットの内側に突出する２つの係合タブを備え、内側容器の閉鎖形態では、各係合タブがそれぞれのスロットから離脱され、内側容器の開放形態では、各係合タブがそれぞれのスロットと係合されて内側容器をユーザの外的作用により作動不可能な態様で開放形態でロックし、各スロットとそれぞれのタブとの間の相互作用は、内側容器の開放形態に達するときに音を発する、例１０から１６のいずれか一例に記載の喫煙物品のパケット。
【００３０】
例１８
２つのスロットが内側容器の後壁のそれぞれの縦方向縁部付近に位置され、２つの係合タブは、互いに整列されるそれぞれのヒンジラインに沿って蓋の上壁の両側にヒンジ結合される、例１７に記載の喫煙物品のパケット。
【００３１】
例１９
内側容器を外側容器に対してスライドさせることによって蓋の回動を自動的に制御するように蓋を内側容器に接続する接続タブを備える、例４から１８のいずれか一例に記載の喫煙物品のパケット。
【００３２】
例２０
外側容器は、ユーザが内側容器を外側容器に対してスライドさせることができるようにするべく裏側に位置する内側容器の部分を露出させたままにする少なくとも１つの貫通窓を備える、例１から１９のいずれか一例に記載の喫煙物品のパケット。
【００３３】
例２１
外側容器の貫通窓は、外側容器の前壁上で又は外側容器の下壁で得られる、例２０に記載の喫煙物品のパケット。
【００３４】
ここで、本発明をその幾つかの典型的で非限定的な実施形態を示す添付図面に関連して開示する。
【図面の簡単な説明】
【００３５】
【図１】本発明にしたがって形成される紙巻たばこのスライドオープンパケットの閉鎖形態における前側方斜視図である。
【図２】図１の紙巻たばこのパケットの開放形態における前側方斜視図である。
【図３】図１の紙巻たばこのパケットの閉鎖形態における後側方斜視図である。
【図４】外側容器に対する内側容器の異なる形態における図１の紙巻たばこのパケットの断面図である。
【図５】外側容器に対する内側容器の異なる形態における図１の紙巻たばこのパケットの断面図である。
【図６】外側容器に対する内側容器の異なる形態における図１の紙巻たばこのパケットの断面図である。
【図７】図４〜図６の拡大詳細図である。
【図８】図４〜図６の拡大詳細図である。
【図９】図４〜図６の拡大詳細図である。
【図１０】特定の要素を欠いて他の要素をより良く示す、図１の紙巻たばこのパケットの閉鎖形態における前方斜視図である。
【図１１】特定の要素を欠いて他の要素をより良く示す、図１の紙巻たばこのパケットの開放形態における前側方斜視図である。
【図１２】図１の紙巻たばこのパケットの外側容器を形成するために使用されるブランクの図である。
【図１３】図１の紙巻たばこのパケットの外側容器の補強パネルを形成するために使用されるブランクの図である。
【図１４】図１の紙巻たばこのパケットの内側容器を形成するために使用されるブランクの図である。
【図１５】図１の紙巻たばこのパケットの変形の閉鎖形態における前側方斜視図である。
【図１６】図１５の紙巻たばこのパケットの開放形態における前側方斜視図である。
【図１７】図１５の紙巻たばこのパケットの閉鎖形態における後側方斜視図である。
【図１８】外側容器に対する内側容器の異なる形態における図１５の紙巻たばこのパケットの断面図である。
【図１９】外側容器に対する内側容器の異なる形態における図１５の紙巻たばこのパケットの断面図である。
【図２０】外側容器に対する内側容器の異なる形態における図１５の紙巻たばこのパケットの断面図である。
【図２１】特定の要素を欠いて他の要素をより良く示す、図１５の紙巻たばこのパケットの閉鎖形態における前方斜視図である。
【図２２】図２１の拡大詳細図である。
【図２３】特定の要素を欠いて他の要素をより良く示す、図１５の紙巻たばこのパケットの開放形態における後側方斜視図である。
【図２４】図１５の紙巻たばこのパケットの外側容器を形成するために使用されるブランクの図である。
【図２５】図１５の紙巻たばこのパケットの内側容器を形成するために使用されるブランクの図である。
【発明を実施するための形態】
【００３６】
この説明では、図示の実施形態に共通の同様の要素が同じ参照数字を用いて示される。
【００３７】
図１〜図３において、参照数字１は、スライドオープン式、すなわち、主延在縦軸Ａに沿って延びる並進（直線移動）によるスライド開放を伴う、紙巻たばこのパケットをその全体にわたって示す。
【００３８】
特に、紙巻たばこのパケット１は、「垂直」タイプのスライド開放を成し、すなわち、開放がパケット１の主延在縦軸Ａと平行に行われる。
【００３９】
図１〜図３に示される紙巻たばこのパケット１は、包装された紙巻たばこのグループ２（図２に概略的に示される）、すなわち、金属化された包装紙のシートに包まれた紙巻たばこのグループを備える。
【００４０】
紙巻たばこのパケット１は、その内側に包装されたグループ２が直接に配置される硬質タイプの内側容器３（図２）と、硬質タイプの外側容器４とを更に備え、外側容器４は、内側容器３が外側容器４の内側に完全に挿入される閉鎖形態（図１、図３、図４、及び、図１０に示される）と包装された紙巻たばこのグループ２にアクセスして紙巻たばこを抜き出すことができるようにするべく内側容器３の一部が外側容器４の外側にある開放形態（図２、図６、及び、図１１に示される）との間で並進移動することにより内側容器３が外側容器４に対してスライドできるようにするために内側容器３をスライド可能に収容する。
【００４１】
図２及び図４〜図６に示されたものによれば、内側容器３は、直方体形状を成し、カップ形状であるとともに、開放上端部５を有する。
【００４２】
内側容器３は、開放上端部５とは反対側の下壁６と、互いに平行で対向する前壁７及び後壁８と、互いに平行であるとともに壁７，８間に介在する第１の側壁９Ａ及び第２の側壁９Ｂとを更に有する。
【００４３】
壁７，８と壁９Ａ、９Ｂとの間には４つの縦方向縁部が画定され、一方、壁７，８，９Ａ，９Ｂと下壁６との間には４つの横方向縁部が画定される。
【００４４】
添付の図に示される実施形態では、全ての縦方向縁部が直線的であり、また、図示しない別の実施形態によれば、幾つかの縦方向縁部が面取りされ又は丸み付けられ得る。
【００４５】
また、外側容器４（図１〜図６に示される）は、カップ形状であるとともに、開放上端部１１とは反対側の下壁１０と、互いに平行で対向する前壁１２及び後壁１３と、互いに平行であるとともに壁１２，１３間に介在する第１の側壁１４Ａ及び第２の側壁１４Ｂとを有する。  壁１２，１３と側壁１４Ａ、１４Ｂとの間には４つの縦方向縁部が画定され、一方、壁１２，１３，１４Ａ，１４Ｂと下壁１０との間には４つの横方向縁部が画定される。
【００４６】
添付の図に示される実施形態では、全ての縦方向縁部が直線的であり、また、図示しない別の実施形態によれば、幾つかの縦方向縁部が面取りされ又は丸み付けられ得る。
【００４７】
図１、図２、及び、図４〜図６に示されるものによれば、外側容器４の前壁１２は貫通窓１５を有し、この貫通窓１５を通じて、外側容器４の前壁１２と対向して裏側に位置する容器３の前壁７にアクセスでき、それにより、内側容器３に押圧を加えて内側容器３を閉鎖形態と開放形態との間で移動させることができる。言い換えると、貫通窓１５を通じて、ユーザは、内側容器３を閉鎖形態と開放形態との間で外側容器４に対してスライドさせるために内側容器３に押圧を加えることができる。
【００４８】
図示しない１つの実施形態によれば、貫通窓１５は、外側容器４の下壁１０で得られる。
【００４９】
外側容器４は蓋１６を更に備え、この蓋１６は、外側容器４の開放端部１１を閉じるためにヒンジ１７に沿って外側容器４にヒンジ結合される（図１〜図６、図１０、図１１）。
【００５０】
蓋１６は、上壁１８と、蓋１６の内面の側で蓋１６の上壁１８方へと、すなわち、パケット１の内側へ向けて１８０°折り曲げられる補強パネル１９とを備える。特に、補強パネル１９は、蓋１６の上壁１８の内面に接着される（図１１）。
【００５１】
蓋１６は、上壁１８の補強パネル１９の延在壁２０を更に含む（図１１）。補強パネル１９の延在壁２０は、内側容器３の後壁８に接着される第１のパネル２１と、第１のパネル２１上へと１８０°折り曲げられて第１のパネル２１に接着される第２のパネル２２とを備える。
【００５２】
また、蓋１６には、パケット１の内側に突出する一対の係合タブ２３（図４〜図６、図１０、及び、図１１に示される）が設けられ、以下、これらの係合タブの機能を開示する。
【００５３】
係合タブ２３は、略台形形状を有するとともに、蓋１６の上壁１８に対してヒンジ結合される。特に、２つの係合タブ２３は、蓋１６の上壁１８の補強パネル１９で得られて、それぞれのヒンジラインに沿って補強パネル１９にヒンジ結合される。係合タブ２３は、補強パネル１９の両端部に位置され、また、互いに整列されるヒンジラインは、蓋１６のヒンジ１７と略平行に延びる。
【００５４】
また、それぞれのヒンジラインを発端として、係合タブ２３は、補強パネル１９に対して所定の角度を成してパケット１の内側へ向けて延びる（図４）。
【００５５】
このように、蓋１６の回動中、係合タブ２３は、内側容器３の後壁８と一体であるそれぞれのスロット２４とそれぞれ相互作用するようにパケット１の内側に向けて突出する。
【００５６】
２つのスロット２４は、内側容器３の後壁８のそれぞれの縦方向縁部付近に位置されて、パケット１の主延在軸Ａに対して横方向に延びる。特に、２つのスロット２４は、略長方形形状を有し、紙巻たばこのパケット１の内側へ向けて延びるとともに、それぞれのタブ２３のそれぞれの自由縁部２６と相互作用するように配置される上縁部２５をそれぞれが備える。
【００５７】
各スロット２４は、延在壁２０の第１のパネル２１上及び第２のパネル２２で得られ、内側容器３の後壁８がスロット２４のための下壁として作用する。また、各スロット２４は、内側容器３の後壁８に陥凹部を形成し、この陥凹部は、第１のパネル２１の厚さと第２のパネル２２の厚さとの和と同じ深さを有する。
【００５８】
内側容器３が図４及び図１０に示される閉鎖形態にあるとき、係合タブ２３はそれぞれのスロット２４と相互作用しない。特に、内側容器３の閉鎖形態において、係合タブ２３は、スロット２４から離脱されて、パケット１の内側へ向けて所定の角度を成す休止位置にある。
【００５９】
内側容器３を閉鎖形態から開放形態へ移動させることにより（図４〜図６）、係合タブ２３は、略垂直な位置（図５）をとり、すなわち、係合タブは、自由縁部２６を介して第２のパネル２２の上縁部と相互作用して僅かな音を発する（図６）まで、補強パネル１９と実質的に整列される。
【００６０】
図６に示される内側容器３の開放形態では、係合タブ２３がそれぞれのスロット２４に係合され、すなわち、係合タブは、スロット２４により形成される陥凹部の内側に位置される。言い換えると、内側容器３の開放形態において、係合タブ２３の自由縁部２６は、それぞれのスロット２４内に受け入れられて、それぞれがスロットのそれぞれの上縁部２５に当接する。このようにして、内側容器３は、開放形態において、ユーザの外的作用により作動不可能な態様でロックされる。実際には、使用時、内側容器３を開放形態からロック解除するには、下向きの押圧を内側容器３に及ぼせば十分である。内側容器３の移動中、係合タブ２３の自由縁部２６とスロット２４のそれぞれの上縁部２５との間の相互作用は、内側容器３の開放形態に達するときに音を発する。
【００６１】
同様に、内側容器３が開放形態から閉鎖形態へ移動されると、係合タブ２３は、スロット２４により形成される陥凹部から出るとともに、自由縁部２６を介して、スロット２４のそれぞれの上縁部２５と相互作用して更なる音を発する。この更なる音は、パケット１の開放中に発せられる音と同じであってもよく又は異なってもよい。
【００６２】
パケット１は、内側容器３を外側容器４に対してスライドさせることにより蓋１６の回動を自動的にもたらすように蓋１６を内側容器３に接続する接続タブ２８を更に備える（図４〜図６）。
【００６３】
言い換えると、接続タブ２８が蓋１６と内側容器３との間で成す機械的拘束は、内側容器３を外側容器４に対してスライドさせることにより、自動的に、すなわち、ユーザが蓋１６に触れる必要なく、蓋１６の回動を制御できる。このようにすると、ユーザは、蓋１６に触れる必要なく内側容器３を外側容器４に対してスライドさせるために必要とされる押圧を加えるだけで済む。
【００６４】
接続タブ２８は、蓋１６の上壁１８の補強パネル１９の延在壁２０の第３のパネル２９から成る。
【００６５】
略等脚台形形状を有する第３のパネル２９は、蓋１６の上壁１８の補強パネル１９にヒンジ結合される一端部（副底）と、第１のパネル２１の上縁部にヒンジ結合される他端部（主底）とを備える。
【００６６】
図示されない他の実施形態によれば、内側容器の開放形態に達するときに音を発するとともに開放形態でユーザの外的作用により作動不可能な態様で内側容器をロックするように互いに相互作用する１つの係合タブ及び１つのスロットだけが設けられる。
【００６７】
紙巻たばこのパケット１は、内側容器３が閉鎖形態にあるときにユーザの外的作用により作動不可能な態様で外側容器４に対する内側容器３のスライドをロックするためのロック装置３０（図４〜図１１に示される）を更に備える。言い換えると、ロック装置３０は、内側容器３を閉鎖形態に保ってロックし、すなわち、２つの容器３，４間の往復スライドを防止し、ロック装置３０によって及ぼされる２つの容器３，４間の往復スライドのこのロックは、ユーザが紙巻たばこのパケット１を開放したいとき、すなわち、ユーザが内側容器３を外側容器４に対してスライドさせて内側容器３を開放形態で移動させたいときに、ユーザの外的作用によって作動不可能である。
【００６８】
ロック装置３０は、外側容器４から内側へ突出するとともにロック縁部３２を備えるロック要素３１と、内側容器３から外側へ突出する係合部３３とを備え、係合部３３は、内側容器３の閉鎖形態でロック要素３１のロック縁部３２と対向するとともに紙巻たばこのパケット１の開放移動中にロック縁部３２と係合する第１の係合縁部３４と、内側容器３の開放形態でロック要素３１のロック縁部３２と対向するとともに紙巻たばこのパケット１の閉鎖移動中にロック縁部３２と係合する第２の係合縁部３５とを有する。
【００６９】
ロック要素３１は、外側容器４の後壁１３の補強パネル３７の上縁部の両側にヒンジ結合される略等脚台形形状の２つのロックタブ３６を備え、補強パネル３７は、外側容器４の後壁１３の内面に接着される外面を有する。
【００７０】
より正確には、ロックタブ３６は、外側容器４の後壁１３の補強パネル３７の両端に位置されるとともに、互いに位置合わせされて蓋１６のヒンジ１７と略平行に延びるそれぞれのヒンジラインを有する。
【００７１】
使用時、ロックタブ３６は、内側容器３が閉鎖形態（図４、図７、及び、図１０）にあるときに外側容器４の後壁１３の補強パネル３７の内面上へと略１８０°折り曲げられるとともに、内側容器３が開放形態（図６、図９、及び、図１１）にあるときに外側容器４の後壁１３の補強パネル３７と実質的に整列される。
【００７２】
また、２つのロックタブ３６間で、補強パネル３７の上縁部は、略等脚台形形状を有する部分３８を画定し、この部分３８は、ロックタブ３６のヒンジラインを発端として主延在縦軸Ａと平行に測定される高さを有し、この高さはロックタブ３６の高さよりもかなり大きい。
【００７３】
前述の係合部３３は、蓋１６の延在壁２０の第１のパネルから成る第１の係合パネル２１と、蓋１６の延在壁２０の第２のパネルから成る第２の係合パネル２２とを備える。
【００７４】
このようにして、係合部３３は、内側容器３の後壁８に対して隆起される部分を形成する２つの重なり合う係合パネル２１，２２によって画定される。
【００７５】
特に、互いに接着される第１の係合パネル２１及び第２の係合パネル２２は、係合部３３の第２の係合縁部３５を画定する折り曲げライン３９に沿って接続され、一方、係合部３３の第１の係合縁部３４は、第１及び第２の係合パネル２１，２２の折り曲げライン３９とは反対側の２つの自由縁部によって形成される。
【００７６】
より正確には、これらの自由縁部は、上縁部２５（図１０）と対向するスロット２４の下縁部４０を画定する。第１の係合縁部３４及び第２の係合縁部３５が互いに略平行であることに留意されるべきである。
【００７７】
ロック装置３０は、ロック縁部３２に当接するための２つの当接部４１，４２を更に備える。
【００７８】
２つの当接部４１，４２は、内側容器３の後壁８のそれぞれの部分によって形成されるとともに、内側容器３が閉鎖形態にあるときに係合部３３の第１の係合縁部３４によって下方で境界付けられる第１の当接部４１と、内側容器３が開放形態にあるときに係合部３３の第２の係合縁部３５によって上方で境界付けられる第２の当接部４２とを備える。
【００７９】
内側容器３が閉鎖形態（図４及び図７）にあるとき、ロックタブ３６のロック縁部３２は、係合部３３の第１の係合縁部３４と対向する。
【００８０】
更に、内側容器３の閉鎖形態において、ロックタブ３６は、外側容器４の後壁１３の補強パネル３７の内面上へと略１８０°折り曲げられて、それぞれのスロット２４内に受けられて係合するとともに、紙巻たばこのパケット１の内側に向けて所定の角度を成す。閉鎖形態では、ロックタブ３６を形成するボール紙のスプリングバック（spring back）に起因して、ロックタブ３６のそれぞれのロック縁部３２が内側容器３の後壁８の第１の当接部４１に当接する。
【００８１】
内側容器３を閉鎖形態から開放形態へ移動させる（図４、図５、図７、及び、図８）ことによって、ロックタブ３６は、それぞれのロック縁部３２で、前述したように第１及び第２の係合パネル２１，２２の折り曲げライン３９とは反対側の２つの自由縁部によって、すなわち、スロット２４の下縁部４０によって形成される第１の係合縁部３４に当接する。このようにして、内側容器３は、閉鎖形態において、ユーザの外的作用により作動不可能な態様でロックされる。使用時には、内側容器３に十分高い開放力を及ぼすことにより、内側容器３を閉鎖形態からロック解除することができる。実際に、貫通窓１５を通じて十分に高い開放力を加えることにより、第１の係合縁部３４は、ロックタブ３６が略垂直な位置をとるまで、ロックタブ３６のロック縁部３２をそれぞれのヒンジラインの周りで回動させ（図５及び図８）、この略垂直な位置では、ロックタブ３６が、第２の係合パネル２２の外面と外側容器４の後壁１３の内面との間に介挿されるとともに、外側容器４の後壁１３の補強パネル３７と実質的に整列される。
【００８２】
内側容器３を閉鎖形態から開放形態へと移動させ続けることにより、ロックタブ３６のそれぞれのロック縁部３２は、それらが折り曲げライン３９により形成される第２の係合縁部３５と相互作用するまで第２の係合パネル２２の外面に当接してこの外面に沿ってスライドする（紙巻たばこのパケット１の内側へ向けてロックタブ３６を傾けるスプリングバックに起因する）。
【００８３】
図６及び図９に示される内側容器３の開放形態では、ロックタブ３６のロック縁部３２が係合部３３の第２の係合縁部３５と対向する。内側容器３の開放形態において、ロックタブ３６は、外側容器４の後壁１３の補強パネル３７と実質的に整列されるとともに、紙巻たばこのパケット１の内側へ向けて傾けられる。開放形態では、ロックタブ３６を形成するボール紙のスプリングバックに起因して、ロックタブ３６のそれぞれのロック縁部３２が内側容器３の後壁８の第２の当接部４２に当接する。
【００８４】
内側容器３を開放形態から閉鎖形態へと移動させることによって、ロックタブ３６のロック縁部３２が第２の係合縁部３５に当接し、これにより、紙巻たばこのパケット１の閉鎖に対抗する僅かな力が発生する。貫通窓１５を通じて十分に高い閉鎖力を加えることにより、第２の係合縁部３５は、ロックタブ３６が外側容器４の後壁１３の補強パネル３７の内面上へと略１８０°折り曲げられるまで、ロックタブ３６のロック縁部３２をそれぞれのヒンジラインの周りで回動させる。
【００８５】
内側容器３の開放形態から閉鎖形態への移動を続けることによって、ロックタブ３６は、外側容器４の後壁１３の補強パネル３７の内面上へと略１８０°折り曲げられて、補強パネル３７の内面と第２の係合パネル２２の外面の間に介挿される。
【００８６】
内側容器３の閉鎖形態に達すると、ロックタブ３６が初期位置に戻る。
【００８７】
第１の係合縁部３４とロック縁部３２との間の相互作用及び／又は第２の係合縁部３５とロック縁部３２との間の相互作用は、ユーザが聴き取れる僅かな音を発することに留意されるべきである。
【００８８】
また、内側容器３の閉鎖形態及び開放形態ではロックタブ３６が外側容器４によって隠されることに留意すべきである。
【００８９】
図示されない他の実施形態によれば、ロック要素は、外側容器の後壁の補強パネルの上縁部にヒンジ結合される１つのロックタブのみを備える。この実施形態によれば、ロックタブは、内側容器が閉鎖形態にあるときに外側容器の後壁の補強パネルの内面上へと略１８０°折り曲げられるとともに、内側容器が開放形態にあるときに外側容器の後壁の補強パネルと実質的に整列される。
【００９０】
外側容器４は、図１２に示されるブランク４３を折り曲げることによって形成される。ブランク４３は、ボール紙又は薄いボール紙、すなわち、折り曲げラインで予め脆弱化されなければならない硬質の包装材料から成る。図１２に示されたものによれば、ブランク４３は、可能であれば、外側容器４の対応する要素を区別する参照数字と同じアクセント記号付き参照数字で標識化された複数の要素を備える。
【００９１】
同様に、外側容器４の後壁１３の補強パネル３７は、図１３に示されるブランク４４から形成される。ブランク４４は、ボール紙又は薄いカード、すなわち、折り曲げラインで予め脆弱化されなければならない硬質の包装材料から成る。図１３に示されたものによれば、ブランク４４は、可能であれば、補強パネル３７の対応する要素を区別する参照数字と同じアクセント記号付き参照数字で標識化された複数の要素を備える。
【００９２】
また、内側容器３は、図１４に示されるブランク４５を折り曲げることによって形成される。ブランク４５は、ボール紙又は薄いボール紙、すなわち、折り曲げラインで予め脆弱化されなければならない硬質の包装材料から成る。図１４に示されたものによれば、ブランク４５は、可能であれば、内側容器３の対応する要素を区別する参照数字と同じアクセント記号付き参照数字で標識化された複数の要素を備える。
【００９３】
図１５〜図２３を参照すると、本発明に係る紙巻たばこのパケット１の異なる実施形態が示される。
【００９４】
図１５〜図２３に示される紙巻たばこのパケット１において、略長方形形状を有する係合部３３は、内側容器３の内側壁９ａ（図２３）に対して隆起される部分を形成する２つの重なり合う係合パネル５１，５２（図２２及び図２３）によって画定される。
【００９５】
特に、この実施形態において、互いに接着される第１の係合パネル５１及び第２の係合パネル５２は、係合部３３の第１の係合縁部３４を画定する折り曲げライン３９に沿って接続され、一方、係合部３３の第２の係合縁部３５は、第１及び第２の係合パネル５１，５２の折り曲げライン３９とは反対側の２つの自由縁部によって形成される。
【００９６】
図１５〜図２３に示される実施形態によれば、第１の係合縁部３４及び第２の係合縁部３５は、互いに平行であるとともに、蓋１６のヒンジ１７に対して略垂直である。
【００９７】
この実施形態において、第１の係合パネル５１及び第２の係合パネル５２は、側壁９Ａを形成するために内側容器３の内側壁９ａに接着されるようになっている内側容器３の外側壁９ａａで得られる。
【００９８】
特に、第１の係合パネル５１は、内側容器３の開放上端部５により近い内側容器３の外側壁９ａａの略長方形形状を有する第１の部分５１’（図２５）から成り、一方、第２の係合パネル５２は、第１の部分５１’の形状と同一の形状を有するとともに第１の部分５１’に隣接する内側容器３の外側壁９ａａの第２の部分５２’（図２５）から成る。
【００９９】
より正確には、第２の部分５２’は、折り曲げライン３９に沿って第１の部分５１’の外面上へと１８０°折り曲げられて、第１の部分５１’の外面に接着される。
【０１００】
図１５〜図２３に示される紙巻たばこのパケット１において、ロック要素３１は、外側容器４の内側壁１４Ａ’にヒンジ結合されるロックタブ３６を備える。
【０１０１】
特に、ロックタブ３６は、略「Ｌ」形状であるとともに外側容器４の内側壁１４ａ上に形成される切断ライン４６によって画定され、また、内側容器３が閉鎖形態にあるときに内側壁１４ａの内面上へと略１８０°折り曲げられるとともに、内側容器３が開放形態にあるときに内側壁１４ａと実質的に整列される。
【０１０２】
また、図１５〜図２３に示される紙巻たばこのパケット１では、ロック装置３０が係合縁部３２に当接するための２つの当接部４１，４２を備える。
【０１０３】
この実施形態において、２つの当接部４１，４２は、係合部３３の両側に位置されて、内側容器３の内側壁９ａのそれぞれの一部であるとともに、第１の当接部４１と第２の当接部４２とを備える。
【０１０４】
特に、第１の当接部４１は、内側容器３の開放上端部５の縁部によって上方で境界付けられるとともに、係合部３３の第１の係合縁部３４によって（すなわち、折り曲げライン３９によって）下方で境界付けられ、一方、第２の係合部４２は、内側容器３の外側壁９ａａで得られるスロット４７によって画定される。
【０１０５】
スロット４７は、第１の係合パネル５１の自由縁部から成る上縁部によって上方で境界付けら、第１の係合パネル５１の自由縁部と平行な下縁部４８によって下方で境界付けられるとともに、スロット４７と対向する内側壁９ａの一部によって形成される下壁を有する。
【０１０６】
また、図１５〜図２３に示される紙巻たばこのパケット１では、各スロット２４が延在壁２０の第２のパネル２２で得られ、第１のパネル２１はスロット２４のための下壁として作用する。また、この実施形態において、各スロット２４は、内側容器３の後壁８に陥凹部を形成し、この陥凹部は、第２のパネル２２の厚さに等しい深さを有する。
【０１０７】
内側容器３が閉鎖形態（図１８、図２１、及び、図２２）にあるとき、ロックタブ３６のロック縁部３２は、係合部３３の第１の係合縁部３４と対向する、すなわち、折り曲げライン３９の方を向く。
【０１０８】
更に、内側容器３の閉鎖形態において、ロックタブ３６は、外側容器４の内側壁１４ａの内面上へと略１８０°折り曲げられて、紙巻たばこのパケット１の内側に向けて所定の角度を成す。閉鎖形態では、ロックタブ３６を形成するボール紙のスプリングバックに起因して、ロックタブ３６のロック縁部３２が内側容器３の内側壁９ａで得られる第１の当接部４１に当接する。
【０１０９】
内側容器３を閉鎖形態から開放形態へと移動させる（図１８、図１９、図２１、及び、図２２）ことによって、ロックタブ３６は、ロック縁部３２で、先に開示されたように折り曲げライン３９により形成される第１の係合縁部３４に当接する。このようにして、内側容器３は、閉鎖形態において、ユーザの外的作用により作動不可能な態様でロックされる。使用時には、内側容器３に十分高い開放力を及ぼすことにより、内側容器３を閉鎖形態からロック解除することができる。実際に、貫通窓１５を通じて十分に高い開放力を加えることにより、第１の係合縁部３４は、ロックタブ３６が略垂直な位置をとるまで、ロックタブ３６のロック縁部３２をそれぞれのヒンジラインの周りで回動させ、この略垂直な位置では、ロックタブ３６が、第２の係合パネル５２の外面と外側容器４の外側壁１４ａａの内面との間に介挿されるとともに、外側容器４の内側壁１４ａと実質的に整列される。
【０１１０】
内側容器３を閉鎖形態から開放形態へと移動させ続けることにより、ロックタブ３６のロック縁部３２は、それが第１及び第２の係合パネル５１，５２の折り曲げライン３９とは反対側の２つの自由縁部により先に記載されたように形成される第２の係合縁部３５と相互作用するまで第２の係合パネル５２の外面に当接してこの外面に沿ってスライドする（紙巻たばこのパケット１の内側へ向けてロックタブ３６を傾けるスプリングバックに起因する）。
【０１１１】
図２０及び図２３に示される内側容器３の開放形態において、ロックタブ３６のロック縁部３２は、係合部３３の第２の係合縁部３５と対向するとともに、この第２の係合縁部３５から特定の距離を隔てる。  内側容器３の開放形態において、ロックタブ３６は、外側容器４の内側壁１４ａと実質的に整列されて、紙巻たばこのパケット１の内側に向けて所定の角度を成す。開放形態では、ロックタブ３６を形成するボール紙のスプリングバックに起因して、ロックタブ３６のロック縁部３２が内側容器３の外側壁９ａａの外面に当接する。
【０１１２】
内側容器３を開放形態から閉鎖形態へと移動させることによって、ロックタブ３６のロック縁部３２は、それが第２の係合縁部３５と係合するまで、内側容器３の外側壁９ａａの外面及び第２の当接部４２に順々に当接し、これにより、紙巻たばこのパケット１の閉鎖部に対抗する僅かな力を発生する。貫通窓１５を通じて十分に高い閉鎖力を加えることにより、第２の係合縁部３５は、ロックタブ３６が外側容器４の内側壁１４ａの内面上へと略１８０°折り曲げられるまで、ロックタブ３６のロック縁部３２をそれぞれのヒンジラインの周りで回動させる。
【０１１３】
内側容器３の開放形態から閉鎖形態への移動を続けることによって、ロックタブ３６は、外側容器４の内側壁１４ａの内面上へと略１８０°折り曲げられて、外側容器４の内側壁１４ａの内面と第２の係合パネル５２の外面の間に介挿される。
【０１１４】
内側容器３の閉鎖形態に達すると、ロックタブ３６が初期位置に戻る。
【０１１５】
第１の係合縁部３４とロック縁部３２との間の相互作用及び／又は第２の係合縁部３５とロック縁部３２との間の相互作用は、ユーザが聴き取れる僅かな音を発することに留意されるべきである。
【０１１６】
また、内側容器３の閉鎖形態及び開放形態ではロックタブ３６が外側容器４によって、特に外側壁１４ａａによって隠されることに留意すべきである。
【０１１７】
図示されない他の実施形態によれば、図１５〜図２３に示される紙巻たばこのパケット１は、パケット１の正中面に対して紙巻たばこのパケット１の両側に配置される２つのロック装置を備える。
【０１１８】
図１５〜図２３に示される紙巻たばこのパケット１の外側容器４は、図２４に示されるブランク４９を折り曲げることによって形成される。ブランク４９は、ボール紙又は薄いボール紙、すなわち、折り曲げラインで予め脆弱化されなければならない硬質の包装材料から成る。図２４に示されたものによれば、ブランク４９は、可能であれば、外側容器４の対応する要素を区別する参照数字と同じアクセント記号付き参照数字で標識化された複数の要素を備える。
【０１１９】
同様に、図１５〜図２３に示される紙巻たばこのパケット１の内側容器３は、図２５に示されるブランク５０を折り曲げることによって形成される。ブランク５０は、ボール紙又は薄いボール紙、すなわち、折り曲げラインで予め脆弱化されなければならない硬質の包装材料から成る。図２５に示されたものによれば、ブランク５０は、可能であれば、内側容器３の対応する要素を区別する参照数字と同じアクセント記号付き参照数字で標識化された複数の要素を備える。
【０１２０】
先に開示された紙巻たばこのパケット１は、それらの製造が容易で安価であるとともに、内側容器３が閉鎖形態にあるときに外側容器４に対する内側容器３のスライドをユーザの外的作用により作動不可能な態様でロックするロック装置３０をそれらが有するため、幾つかの利点を有する。このようにして、紙巻たばこのパケット１の望ましくない開放が回避される。
【０１２１】
更に、紙巻たばこのこれらのパケット１は、紙巻たばこのパケット１の正確な開放／閉鎖の明確な表示をユーザに与える。これは、内側容器３の開放形態及び閉鎖形態の両方に達するときに紙巻たばこのこれらのパケット１が音を発するという事実に起因する。
【０１２２】
また、先に開示された紙巻たばこのパケット１は、経時的に特に有効で信頼性の高いロック装置３０を有する。これは、係合部３３がロック要素３１の厚さに対して大きい厚さ、特に２倍の厚さを有するという事実に起因する。
【０１２３】
更に、本発明に係る紙巻たばこのパケット１は、紙巻たばこの抜き出しをより容易にする。これは、内側容器３を開放形態でロックすることができるという事実に起因する。
【０１２４】
また、先に開示された紙巻たばこのパケット１は、特に審美的に心地よいものである。これは、ロック要素３１が内側容器３の閉鎖形態及び開放形態の両方で外側容器４により隠されるからである。
【０１２５】
先に開示された紙巻たばこのパケット１によって与えられる多数の利点を受けて、紙巻たばこパケットのカートンを形成するように紙巻たばこのパケット１の形状を完全に繰り返すことができ、このカートンは、紙巻たばこのグループの代わりに紙巻たばこパケットのグループを含むことのみを除き、先に開示された紙巻たばこのパケット１とほぼ同じである。
【図１】
2018505825.tif 000003
【図２】
2018505825.tif 000004
【図３】
2018505825.tif 000005
【図４】
2018505825.tif 000006
【図５】
2018505825.tif 000007
【図６】
2018505825.tif 000008
【図７】
2018505825.tif 000009
【図８】
2018505825.tif 000010
【図９】
2018505825.tif 000011
【図１０】
2018505825.tif 000012
【図１１】
2018505825.tif 000013
【図１２】
2018505825.tif 000014
【図１３】
2018505825.tif 000015
【図１４】
2018505825.tif 000016
【図１５】
2018505825.tif 000017
【図１６】
2018505825.tif 000018
【図１７】
2018505825.tif 000019
【図１８】
2018505825.tif 000020
【図１９】
2018505825.tif 000021
【図２０】
2018505825.tif 000022
【図２１】
2018505825.tif 000023
【図２２】
2018505825.tif 000024
【図２３】
2018505825.tif 000025
【図２４】
2018505825.tif 000026
【図２５】
2018505825.tif 000027
【国際調査報告】
2018505825.tif 000028
2018505825.tif 000029
2018505825.tif 000030